(57)【要約】      （修正有）【課題】コード（松葉紐）に取り付けた携帯品とコード付勢巻取り装置の筐体との距離を略接した状態あるいは近傍した状態にでき、かつ、携帯品を筐体から遠ざけることのできるコード付勢巻取り装置を提供する。【解決手段】コード６の全体あるいは少なくとも先端側の適宜な長さが、携帯電話、デジタルカメラなどの携帯品Ｋに設けられたコード通し取付け孔７に先端を折り合わせるようにしてループ状態で通すことができる太さであるとともに、前記コード通し取付け孔７が折れ曲がっていてその内壁に当り擦れても、崩れることなく通される適宜なしなやかさと硬さを有するものであり、かつ、該コード６先端が筐体２に当り引き込み動作が止められた最終巻取り状態となっても前記巻取り体を巻取り回転させようとする巻取り回転付勢力を有してなる。【選択図】図１
2010012211.tif 000002
【特許請求の範囲】
【請求項１】
筐体と、
この筐体内に回転自在に設けられ且つ駆動バネにより巻取り方向に付勢巻取り回転をする巻取り体と、
この巻取り体に付勢巻き取られる、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものである一本の取り付けコードと、
この取り付けコードの前記筐体の外にある先端側に設けられた前記取り付けコード通し取り付け孔を通らない大きさのループ潜らせストッパーとからなり、
前記取り付けコードを適宜な部位で折合わせ一対形態にして前記取り付けコード通し取り付け孔に通し、通り抜けた部分を広げてループを形成し、このループに前記ループ潜らせストッパーを潜らせ、該取り付けコードを引いて該ループを縮め締めて、締めた該ループから該ループ潜らせストッパーが抜けないようにして、よって、携帯品に該取り付けコードの先端側を取り付けるようにしたことを特徴とする取り付けコード付勢巻取り装置。
【請求項２】
筐体と、
この筐体内に回転自在に設けられ且つ駆動バネにより巻取り方向に付勢巻取り回転をする巻取り体と、
この巻取り体に付勢巻き取られる、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものである一本の取り付けコードと、
この取り付けコードの前記筐体の外にある先端側に設けられた前記取り付けコード通し取り付け孔を通らない大きさのストッパーと、
このストッパーに設けられた取り付けコードを着脱自在に係止するための係止ループ着脱係止部とからなり、
前記取り付けコードを適宜な部位で折合わせ一対形態にして前記取り付けコード通し取り付け孔に通し、通り抜けた部分であるループを前記係止ループ着脱係止部に係止させ、該取り付けコードを引いて該ループを縮め締めて、締めた該ループが該係止ループ着脱係止部から外れないことによって、携帯品に該取り付けコードの先端側を取り付けるようにしたことを特徴とする取り付けコード付勢巻取り装置。
【請求項３】
筐体と、
この筐体内に回転自在に設けられ且つ駆動バネにより巻取り方向に付勢巻取り回転をする巻取り体と、
この巻取り体に付勢巻き取られる、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものである一本の取り付けコードと、
この取り付けコードの前記筐体の外にある先端側に設けられた前記取り付けコード通し取り付け孔を通らない大きさのストッパーと、
前記取り付けコードに移動自在に設けられた該取り付けコードを着脱自在に係止するため係止ループ着脱係止部とからなり、
前記取り付けコードを適宜な部位で折合わせ一対形態にして前記取り付けコード通し取り付け孔に通し、通り抜けた部分であるループを形成し、該ループを前記係止ループ着脱係止部に係止させ、該取り付けコードを引いて該ループを縮め締めて、締めた該ループが該係止ループ着脱係止部から外れないことによって、携帯品に該取り付けコードの先端側を取り付けるようにしたことを特徴とする取り付けコード付勢巻取り装置。
【請求項４】
筐体と、
この筐体内に回転自在に設けられ且つ駆動バネにより巻取り方向に付勢巻取り回転をする巻取り体と、
この巻取り体に付勢巻き取られる取り付けコードと、
この取り付けコードの前記筐体の外にある先端に形成されたあるいは設けられたループ形成用環部と、
このループ形成用環部に前記取り付けコードが通されることにより形成されてなる、該ループ形成用環部に通された取り付けコードを移動させることにより大きくしたり小さくしたりできるループとからなり、
前記取り付けコードが、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものであることを特徴とする取り付けコード付勢巻取り装置。
【請求項５】
取り付けコードの筐体からの引き出しおよび引き込みをロックするための、あるいは引き込みをロックするためのロック機構を設けてなることを特徴とする請求項１〜４いずれか記載の取り付けコード付勢巻取り装置。
【請求項６】
筐体の巻取り体から外れた部位に、取り付けコードを付勢挟持してロックするロック機構部を設けるためのロック機構を設ける部位を形成し、このロック機構を設ける部位の表面あるいは裏面に開口部を設け、この開口部から頭部が突出され、該開口部内に頭部が位置されあるいは該開口部より内側に頭部が位置されてなる、摘んだ指によって押し込み移動動作をするロックＯＮ・ＯＦＦボタンを設け、前記ロックＯＮ・ＯＦＦボタンを押し出し付勢する押し出し付勢手段を設け、前記ロックＯＮ・ＯＦＦボタンに前記取り付けコードを通すループ形成用環部を設け、前記ロックＯＮ・ＯＦＦボタンの解放状態では前記押し出し付勢手段の押し出し付勢力によって該ロックＯＮ・ＯＦＦボタンは押し出し付勢状態にあって前記取り付けコードを挟みロック状態とし、親指を前記ロック機構を設ける部位の裏面に当て人差し指ないし中指を該ロック機構を設ける部位の表面に当て摘み状態で、そのいずれかの指で前記ロックＯＮ・ＯＦＦボタンを前記押し出し付勢手段の押し出し付勢力に抗して押し込み移動させることにより前記取り付けコードの前記ロック状態が解除され、該ロックＯＮ・ＯＦＦボタンを解放すると該ロック状態となることを特徴とする請求項１〜５いずれか記載の取り付けコード付勢巻取り装置。
【発明の詳細な説明】
【技術分野】
【０００１】
本発明は、携帯電話、カメラ、カードケースあるいはカメラケースなどのケース、あるいはアクセサリーなどの携帯品を携行するのに適した取り付けコード付勢巻取り装置に関する。
【背景技術】
【０００２】
携帯電話あるいはデジタルカメラの殆どのものには、開口２ｍｍ〜４ｍｍ程度の取り付けコード通し取付け孔が設けられている。
しかるに、携帯品の取り付けコード通し取付け孔に細取り付けコードを通して、着衣に装着するクリップを設けてなるストラップ、あるいは手首ないし首に掛けるストラップの一般的な形態において、リール紐を付勢巻き取るリール装置形態のものは、一本のリール紐を付勢巻き取る形態であり、その一本のリール紐の先端に０．５ｍｍ〜０．８ｍｍ程度の太さで長さが３０ｍｍ〜５０ｍｍ程度のループ形態とされるとともに、取り付けコード通し取付け孔が折れ曲がっていてその内壁に当り擦れても、崩れることなく通される適宜なしなやかさと硬さを有する取り付けコード（「松葉紐」あるいは「ヘビロ」などの名称で呼ばれている）が設けられてなるものである。（例えば特許文献１）
また、一本のリール紐の先端に脱着パーツを取り付け、その外れるパーツの側に０．５ｍｍ〜０．８ｍｍ程度の太さで長さが３０ｍｍ〜５０ｍｍ程度のループ形態とされるとともに、取り付けコード通し取付け孔が折れ曲がっていてその内壁に当り擦れても、崩れることなく通される適宜なしなやかさと硬さを有する取り付けコードが設けられてなるものが知れている。
また、首に掛けるループを形成する取り付けコードを付勢巻き取る形態のリール装置が知られている（例えば特許文献２）。
また、付勢巻取り体に筐体の外に引き出さされてループを形成する一対のコードが巻き取られ、該コードのループの先端を折り合わせて携帯電話などの取り付けコード通し取付け孔に通して、通されたループを広げてそのループに筐体および付属品を潜らせ引いてループを縮め絞り、よって携帯品にコードを取り付けるようにしてなるものが開示されている（例えば特許文献４）。
【０００３】
上述した従来技術は以下に述べるような欠点を有するものであった。
＜１＞特許文献１に開示の発明
リールケース（２）（付勢巻取りリール装置）に付勢巻き取られた一本の紐部（１３）の先端に、ループ形態の携帯品の取り付けコード通し取付け孔に通し取り付けるヘビロ（１１）（取り付けコード）が設けられてなるものである。
しかるに、携帯品の取り付けコード通し取付け孔に通しての取付けは、ヘビロ（１１）の先端を折り合わせた状態にして取り付けコード通し取付け孔に通してループを広げ状態とし、そのループにリールケース（２）（付勢巻取りリール装置）を潜らせ通して引き締め、取り付けコード通し取付け孔にヘビロ（１１）を結束させ取り付けるというものである。
すなわち、ヘビロ（１１）は取り付けコード通し取付け孔に通された状態で、リールケース（２）を潜り通すことができるループを形成する長さとしたければならないものである。
よって、携帯品はヘビロ（１１）の先端に吊り下げられた状態、すなわち、リールケース（２）から３０ｍｍ〜６０ｍｍ程度の距離が離れた位置になるという欠点を有するものである。
この欠点によって、例えば、リールケース（２）にネックストラップを設け首に掛ける形態とした場合には、携帯品の吊り下げ位置はリールケース（２）から３０ｍｍ〜６０ｍｍ程度の距離が離れた位置となるのでその分振れが大きくなる、クリップを設けた形態では、例えば、胸ポケットにリールケース（２）を装着した状態では、携帯品の吊り下げ位置はリールケース（２）から３０ｍｍ〜６０ｍｍ程度の距離が離れた位置となるのでその分振れが大きくなるという欠点を有するものでる。
特に、後記＜５＞の携帯補助具への使用は、携帯品を収納するケースを、収納する携帯品の長さに加えてヘビロ（１１）（取り付けコード）の長さ分（３０ｍｍ〜６０ｍｍ程度）長いものとしなければならないという欠点を有するものである。
＜２＞また、取り付けコード（ヘビロ）を、着脱パーツに取り付けた形態のものが製品として知られているが、この場合も、一方の着脱パーツを外し取り付けコード通し取付け孔に通してループを広げ状態とし、そのループに一方の着脱パーツを潜らせ通して引き締め、取り付けコード通し取付け孔に結束させ取り付けて、一方の着脱パーツを一本のリール紐の他方の着脱パーツに連結するというものであので、ヘビロは取り付けコード通し取付け孔に通された状態で、一方の着脱パーツを潜り通すことができるループを形成する長さとしたければならないものであり、よって、携帯品はヘビロの先端に吊り下げられた状態、すなわち、リールケース（２）から２０ｍｍ〜４０ｍｍ程度の距離が離れた位置になるという欠点を有するものである。
＜３＞特許文献２の図４に開示の発明
首に掛けるためのループを形成する丸紐（１３）が一対形態で巻き取り具（２）に付勢巻き取られ、巻き取り具（２）の丸紐（１３）の反対側に連結紐（７）（取り付けコード）が設けられてなるネックストラップ（１）である。
しかるに、引用文献１の発明の首に掛けるためのループを形成する丸紐（１３）は、首に掛けることを目的としており、図からも明らかなように、連結紐（７）（取り付けコードよりもはるかに太いものであり、携帯品の取り付けコード通し取付け孔に通すことなどできないものであることは明らかであるとともに、連結紐（７）（松葉紐）のような崩れ難い（へたばり難い）適宜なしなやかさと硬さを有することについては、なんら明示も示唆もされていないものであり、その目的からそのようなしなやかさと硬さを有さなければならない理由を見出すことができないものである。
＜４＞以上述べた従来技術は、引き出すと拡径するループを形成する一対形態の取り付けコードを巻取り体に巻き取る取り付けコード付勢巻取り装置において、この取り付けコードそのものに松葉紐の機能を持たせるという技術的思想、携帯品の取り付けコード通し取付け孔に取り付けコードを通し取り付けるという技術的思想、取り付けコードが、携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものにするという技術的思想について、なんらそれを示唆したり動機付けしたりする記載は一切ないものであり、そのような使用を全く想定していないものである。
＜５＞特許文献３の発明
底の開口された形態でかつ上部にロープ通し部が設けられたケース本体（９５）の上部にロープストッパー（７７）を位置させ、このロープストッパー７７およびロープ通し部にロープ（８４）を通し、このロープ（８４）のケース本体（９５）内に位置される先端に携帯電話あるいは携帯カメラなどの携帯品を取り付け、ロープ（８４）のケース本体（９５）の外に出た他方の端にはストッパー（５２）を設け、ケース本体（９５）を首から提げるための首下げ手段（２）が設けられてなる携帯品等の保護具（９３）が開示されている。
この特許文献１の発明は、ロープ（８４）が引き上げられてロープストッパー（７７）でロック状態にある状態では、携帯品はロープ（８４）に吊り状態でケース本体（９５）内に収納状態とされ、ロープストッパー（７７）を指で摘みロープ制御手段８７を押し込むとロープ（８４）のロックが解除されて、携帯品はその重みで降下してケース本体（９５）下方外に出て、結果的に首下げ手段（２）が長くなった形態を実現して、携帯品の手に持っての操作が快適に行えるというものである。
しかるに、携帯品がケース本体（９５）に収納されている状態では、ロープ（８４）が外に長く垂れ下がり振れて邪魔になる、周囲に振れ引っかかる危険がある、あるいは煩わしく目障りであるという欠点を有するものである。
この問題を解決するために、ロープ（８４）を付勢巻き取りするリール紐とすることが考えられるが、ロープ（８４）の先端に携帯品の取り付けコード通し取付け孔に通す松葉紐（取り付けコード）を設けなれればならず、松葉紐（取り付けコード）の長さの分（３０ｍｍ〜６０ｍｍ程度）だけ、携帯品がケース本体（９５）内に下がり状態に吊り保持されることになる。このため、携帯品を全部ケース本体（９５）内に収めるために、ケース本体（９５）を長くしなければならない、携帯品が下がった分だけ振りが大きくなるという欠点を有するものである。
＜６＞特許文献４に開示の発明
筒状の筐体部３の外に引き出さされてループを形成する一対のコードからなるストラップ２が巻き取られ、該ストラップ２のループの先端を折り合わせて携帯電話７の取り付けコード通し取付け孔であるストラップ取付部７ａに通して、通されたループを広げてそのループに筒状の筐体部３を内設しているマスコット人形１を潜らせ引いてループを縮め絞り、よって携帯品にコードを取り付けるようにしてなる装飾部付きストラップである。
｛１｝コードを２本巻き取る形態であるので、コードの長さが短くなる、長くしようとすると付勢巻取り体および筐体が大きくしなくてはならないという欠点を有するものである。
｛２｝携帯品への取り付けおよび取り外しは、ストラップ取付部７ａに通したループ部分を大きく広げて筐体潜らせて行わなくてはならず、筐体を腰ベルトなどに固定した状態では、該ベルトから筐体を取り外さなければ取り付けおよび取り外しができない、前記＜５＞の特許文献３のコードに変えて用いた場合、ストラップ取付部７ａに通したループ部分をロープ通し部に通して筐体を潜らせなければならないという、取り付けおよび取り外し操作が煩雑であるという欠点を有するものである。
｛３｝腰ベルトに筐体を固定して、取り付けた携帯電話引き出し操作するというような使い方、前記＜５＞の特許文献３のコードに変えて用いるような形態などにおいては、２本のコード（ストラップ）が携帯品の回りによって捩れてしまうことが頻繁に生じて、その是正のための携帯品回し操作をたびたび行わなくてはならないという欠点を有するものである。
｛４｝ループを通らない長さや大きさいの筐体や付属品での使用ができない、すなわち筐体や付属品の大きさや長さがループに制限されるという欠点を有するものである。
【特許文献１】実登3068840号公報
【特許文献２】実登3070789号公報（図４）
【特許文献３】特開2005-224593号公報（図１７）
【特許文献４】実登3052339号公報
【非特許文献１】特になし
【発明の開示】
【発明が解決しようとする課題】
【０００４】
本発明は以上のような従来技術の欠点に鑑み、携帯電話、デジタルカメラなどの携帯品に設けられた取り付けコード通し取付け孔に挿し込み通し結束取り付ける取り付けコードを一本形態で付勢巻取する形態の取り付けコード付勢巻取り装置であって、コード付勢巻取り装置の筐体と携帯品との距離を略接した状態あるいは近傍した状態にできる取り付けコード付勢巻取り装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためであって、本発明の技術的範囲をそれらのみに限定するものではない。
【課題を解決するための手段】
【０００６】
上記目的を達成するために、本発明は次のような構成となっている。
＜請求項１記載の発明＞
筐体と、
この筐体内に回転自在に設けられ且つ駆動バネにより巻取り方向に付勢巻取り回転をする巻取り体と、
この巻取り体に付勢巻き取られる、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものである一本の取り付けコードと、
この取り付けコードの前記筐体の外にある先端側に設けられた前記取り付けコード通し取り付け孔を通らない大きさのループ潜らせストッパーとからなり、
前記取り付けコードを適宜な部位で折合わせ一対形態にして前記取り付けコード通し取り付け孔に通し、通り抜けた部分を広げてループを形成し、このループに前記ループ潜らせストッパーを潜らせ、該取り付けコードを引いて該ループを縮め締めて、締めた該ループから該ループ潜らせストッパーが抜けないようにして、よって、携帯品に該取り付けコードの先端側を取り付けるようにしたことを特徴とする取り付けコード付勢巻取り装置である。
＜請求項２記載の発明＞
筐体と、
この筐体内に回転自在に設けられ且つ駆動バネにより巻取り方向に付勢巻取り回転をする巻取り体と、
この巻取り体に付勢巻き取られる、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものである一本の取り付けコードと、
この取り付けコードの前記筐体の外にある先端側に設けられた前記取り付けコード通し取り付け孔を通らない大きさのストッパーと、
このストッパーに設けられた取り付けコードを着脱自在に係止するための係止ループ着脱係止部とからなり、
前記取り付けコードを適宜な部位で折合わせ一対形態にして前記取り付けコード通し取り付け孔に通し、通り抜けた部分であるループを前記係止ループ着脱係止部に係止させ、該取り付けコードを引いて該ループを縮め締めて、締めた該ループが該係止ループ着脱係止部から外れないことによって、携帯品に該取り付けコードの先端側を取り付けるようにしたことを特徴とする取り付けコード付勢巻取り装置である。
＜請求項３記載の発明＞
筐体と、
この筐体内に回転自在に設けられ且つ駆動バネにより巻取り方向に付勢巻取り回転をする巻取り体と、
この巻取り体に付勢巻き取られる、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものである一本の取り付けコードと、
この取り付けコードの前記筐体の外にある先端側に設けられた前記取り付けコード通し取り付け孔を通らない大きさのストッパーと、
前記取り付けコードに移動自在に設けられた該取り付けコードを着脱自在に係止するため係止ループ着脱係止部とからなり、
前記取り付けコードを適宜な部位で折合わせ一対形態にして前記取り付けコード通し取り付け孔に通し、通り抜けた部分であるループを形成し、該ループを前記係止ループ着脱係止部に係止させ、該取り付けコードを引いて該ループを縮め締めて、締めた該ループが該係止ループ着脱係止部から外れないことによって、携帯品に該取り付けコードの先端側を取り付けるようにしたことを特徴とする取り付けコード付勢巻取り装置である。
＜請求項４記載の発明＞
筐体と、
この筐体内に回転自在に設けられ且つ駆動バネにより巻取り方向に付勢巻取り回転をする巻取り体と、
この巻取り体に付勢巻き取られる取り付けコードと、
この取り付けコードの前記筐体の外にある先端に形成されたあるいは設けられたループ形成用環部と、
このループ形成用環部に前記取り付けコードが通されることにより形成されてなる、該ループ形成用環部に通された取り付けコードを移動させることにより大きくしたり小さくしたりできるループとからなり、
前記取り付けコードが、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものであることを特徴とする取り付けコード付勢巻取り装置である。
＜請求項５記載の発明＞
請求項１〜４いずれか記載の発明の構成において、取り付けコードの筐体からの引き出しおよび引き込みをロックするための、あるいは引き込みをロックするためのロック機構を設けてなることを特徴とする取り付けコード付勢巻取り装置である。
＜請求項６記載の発明＞
請求項１〜５いずれか記載の発明の構成において、筐体の巻取り体から外れた部位に、取り付けコードを付勢挟持してロックするロック機構部を設けるためのロック機構を設ける部位を形成し、このロック機構を設ける部位の表面あるいは裏面に開口部を設け、この開口部から頭部が突出され、該開口部内に頭部が位置されあるいは該開口部より内側に頭部が位置されてなる、摘んだ指によって押し込み移動動作をするロックＯＮ・ＯＦＦボタンを設け、前記ロックＯＮ・ＯＦＦボタンを押し出し付勢する押し出し付勢手段を設け、前記ロックＯＮ・ＯＦＦボタンに前記取り付けコードを通すループ形成用環部を設け、前記ロックＯＮ・ＯＦＦボタンの解放状態では前記押し出し付勢手段の押し出し付勢力によって該ロックＯＮ・ＯＦＦボタンは押し出し付勢状態にあって前記取り付けコードを挟みロック状態とし、親指を前記ロック機構を設ける部位の裏面に当て人差し指ないし中指を該ロック機構を設ける部位の表面に当て摘み状態で、そのいずれかの指で前記ロックＯＮ・ＯＦＦボタンを前記押し出し付勢手段の押し出し付勢力に抗して押し込み移動させることにより前記取り付けコードの前記ロック状態が解除され、該ロックＯＮ・ＯＦＦボタンを解放すると該ロック状態となることを特徴とする取り付けコード付勢巻取り装置である。
請求項１〜６に記載の発明において、取り付けコードの畳合わせる適当な長さ部分（ループを形成する一対形態部分）のみが、通そうとする取り付けコード通し取付け孔が折れ曲がた内壁に当り擦れる形態でも、崩れることなく通される適宜なしなやかさと硬さを有するように、蝋製部材あるいは樹脂製部材などの固める部材が含浸あるいは塗布されてなる補強部位としてなる取り付けコードの形態も技術的範疇とするものである。
【発明の効果】
【０００７】
以上の説明から明らかなように、本発明にあっては次に列挙する効果が得られる。
＜請求項１記載の発明の効果＞
筐体と、この筐体内に回転自在に設けられ且つ駆動バネにより巻取り方向に付勢巻取り回転をする巻取り体と、この巻取り体に付勢巻き取られる、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものである一本の取り付けコードと、この取り付けコードの前記筐体の外にある先端側に設けられた前記取り付けコード通し取り付け孔を通らない大きさのループ潜らせストッパーとからなり、前記取り付けコードを適宜な部位で折合わせ一対形態にして前記取り付けコード通し取り付け孔に通し、通り抜けた部分を広げてループを形成し、このループに前記ループ潜らせストッパーを潜らせ、該取り付けコードを引いて該ループを縮め締めて、締めた該ループから該ループ潜らせストッパーが抜けないようにして、よって、携帯品に該取り付けコードの先端側を取り付けるようにしたことを特徴とする取り付けコード付勢巻取り装置であるので、
｛１｝携帯品の取り付けコード通し取付け孔を通して形成したループの大きさを、ループ潜らせストッパーを潜らせるだけの大きさにするだけでよく、また、筐体を潜らせる必要がないので、筐体を首に掛けたままあるいは筐体をケースや腰ベルトに取り付けたままの状態で携帯品の取り付け取り外しが容易にできるとともに、取り付けコードの略先端に携帯品を取り付けた状態が実現され、取り付けコードを全部巻き取る形態においては、取り付けコードを最大に巻き取った状態では筐体と携帯品は距離の殆ど生じない形態を実現するという効果を奏する。
｛２｝取り付けコード通し取付け孔の大きさにもよるが、筐体側の取り付けコードを少し強めに引き締めるとループは該取り付けコードに引き込まれるようにして該取り付けコード通し取付け孔の反対側に出て、ループ潜らせストッパーはその通過を阻止された状態となるが、ループ潜らせストッパーを張り揺すりながら引くと、あるいは、筐体側の取り付けコードを取り付けコード通し取付け孔に向け押し込みながらループ潜らせストッパーを引くと簡単にループはループ潜らせストッパー側に引き出されるので、引き出された該ループを指で摘み広げてループ潜らせストッパーをそのループに外し潜らせると、簡単に携帯品から取り付けコードを取り外すことが出来るという作用効果を奏する。
｛３｝一本コードから形成されているので、腰ベルトなどに筐体を固定した使用において、コードが捩れて該コードの一部が筐体内に巻き取られなくなるという状態が生じない。
｛４｝リールやその付属物の大きさや長さに規制されることなく、携帯品へのコードの直接の取り付け取り外しが行えるという効果を奏するものである。
｛５｝コードが一本形態であるので、筐体を小さくできる、あるいは長いコードとしても筐体が２本巻取り形態より小さくできる。
ループ潜らせストッパーは、携帯品を傷つけないゴム製部材、プラスチック製部材などやわらかい材質とするのがよい。
＜請求項２記載の発明の効果＞
筐体と、この筐体内に回転自在に設けられ且つ駆動バネにより巻取り方向に付勢巻取り回転をする巻取り体と、この巻取り体に付勢巻き取られる、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものである一本の取り付けコードと、この取り付けコードの前記筐体の外にある先端側に設けられた前記取り付けコード通し取り付け孔を通らない大きさのストッパーと、このストッパーに設けられた取り付けコードを着脱自在に係止するための係止ループ着脱係止部とからなり、前記取り付けコードを適宜な部位で折合わせ一対形態にして前記取り付けコード通し取り付け孔に通し、通り抜けた部分であるループを前記係止ループ着脱係止部に係止させ、該取り付けコードを引いて該ループを縮め締めて、締めた該ループが該係止ループ着脱係止部から外れないことによって、携帯品に該取り付けコードの先端側を取り付けるようにしたことを特徴とする取り付けコード付勢巻取り装置であるので、
請求項１記載の発明と同様な効果を奏するとともに、係止ループ着脱係止部によりループを簡単で素早く取り外したり取り付けたりできるので、携帯品の取り付け取り外しが素早く簡単にできるという効果を奏する。
＜請求項３記載の発明＞
筐体と、この筐体内に回転自在に設けられ且つ駆動バネにより巻取り方向に付勢巻取り回転をする巻取り体と、この巻取り体に付勢巻き取られる、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものである一本の取り付けコードと、この取り付けコードの前記筐体の外にある先端側に設けられた前記取り付けコード通し取り付け孔を通らない大きさのストッパーと、前記取り付けコードに移動自在に設けられた該取り付けコードを着脱自在に係止するため係止ループ着脱係止部とからなり、前記取り付けコードを適宜な部位で折合わせ一対形態にして前記取り付けコード通し取り付け孔に通し、通り抜けた部分であるループを形成し、該ループを前記係止ループ着脱係止部に係止させ、該取り付けコードを引いて該ループを縮め締めて、締めた該ループが該係止ループ着脱係止部から外れないことによって、携帯品に該取り付けコードの先端側を取り付けるようにしたことを特徴とする取り付けコード付勢巻取り装置であるので、
このような構成としても請求項２記載の発明と同様な効果を奏する。
＜請求項４記載の発明の効果＞
筐体と、この筐体内に回転自在に設けられ且つ駆動バネにより巻取り方向に付勢巻取り回転をする巻取り体と、この巻取り体に付勢巻き取られる取り付けコードと、この取り付けコードの前記筐体の外にある先端に形成されたあるいは設けられたループ形成用環部と、このループ形成用環部に前記取り付けコードが通されることにより形成されてなる、該ループ形成用環部に通された取り付けコードを移動させることにより大きくしたり小さくしたりできるループとからなり、前記取り付けコードが、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものであることを特徴とする取り付けコード付勢巻取り装置であるので、
｛１｝取り付けコードを長く引き出し、ループ形成用環部を一方の手で摘みもち、ループを形成している取り付けコードを引っ張って該ループを大きいループにし、先端を折り畳んで細くして携帯品の取り付けコード通し取り付け孔に通し、通した側をループに広げて筐体を潜らせ、ループ形成用環部と筐体の間の取り付けコードを引いってループを小さくして締めると、ループ形成用環部と携帯品の取り付けコード通し取付け孔形成部位とが当接した状態での吊り状態を実現するものであるので、取り付けコードの略先端に携帯品を取り付けた状態が実現され、取り付けコードを全部巻き取る形態においては、取り付けコードを最大に巻き取った状態では筐体と携帯品は距離の殆ど生じない（ループ形成用環部の分だけわずかに距離が生じる程度）形態を実現するという効果を奏する。
｛２｝一本コードから形成されているので、腰ベルトなどに筐体を固定した使用において、コードが捩れて該コードの一部が筐体内に巻き取られなくなるという状態が生じない。
｛３｝コードが一本形態であるので、筐体を小さくできる、あるいは長いコードとしても筐体が２本巻取り形態より小さくできる。
＜請求項５記載の発明の効果＞
請求項１〜４いずれか記載の発明の構成において、取り付けコードの筐体からの引き出しおよび引き込みをロックするための、あるいは引き込みをロックするためのロック機構を設けてなることを特徴とする取り付けコード付勢巻取り装置であるので、請求項１〜４いずれか記載の発明と同様な効果を奏するとともに、
取り付けコードを巻取り付勢力に抗して引き出し携帯品を遠くに移動させた状態（筐体から携帯品を離した状態）にして、ロック機構をロック状態である取り付けコードの巻取りをロック状態とできるので、携帯品の操作時に取り付けコードが筐体側に巻取り引っ張られる状態が生じることなく携帯品の操作を快適に行うことができるという効果を奏する。
＜請求項６記載の発明の効果＞
請求項１〜５いずれか記載の発明の構成において、筐体の巻取り体から外れた部位に、取り付けコードを付勢挟持してロックするロック機構部を設けるためのロック機構を設ける部位を形成し、このロック機構を設ける部位の表面あるいは裏面に開口部を設け、この開口部から頭部が突出され、該開口部内に頭部が位置されあるいは該開口部より内側に頭部が位置されてなる、摘んだ指によって押し込み移動動作をするロックＯＮ・ＯＦＦボタンを設け、前記ロックＯＮ・ＯＦＦボタンを押し出し付勢する押し出し付勢手段を設け、前記ロックＯＮ・ＯＦＦボタンに前記取り付けコードを通すループ形成用環部を設け、前記ロックＯＮ・ＯＦＦボタンの解放状態では前記押し出し付勢手段の押し出し付勢力によって該ロックＯＮ・ＯＦＦボタンは押し出し付勢状態にあって前記取り付けコードを挟みロック状態とし、親指を前記ロック機構を設ける部位の裏面に当て人差し指ないし中指を該ロック機構を設ける部位の表面に当て摘み状態で、そのいずれかの指で前記ロックＯＮ・ＯＦＦボタンを前記押し出し付勢手段の押し出し付勢力に抗して押し込み移動させることにより前記取り付けコードの前記ロック状態が解除され、該ロックＯＮ・ＯＦＦボタンを解放すると該ロック状態となることを特徴とする取り付けコード付勢巻取り装置であるので、請求項１〜５いずれか記載の発明と同様な効果を奏するとともに、
取り付けコードを挟みロック状態とする構成であるので、どの好みの位置でも携帯品を正確止めることができ、かつ、最終巻取り状態においても取り付けコードを最大限巻取り状態とすることができるという効果を奏する。
また、ロック状態において携帯品の急なあるいは予期せぬ不要な引っ張りが生じても、取り付けコードはロック状態のまま引っ張り引き出され移動するので、ロック機構が破損する、あるいは人が引っ張られて転倒などをしてしまう危険が緩衝されるという、安全性を実現するという効果を奏する。
【発明を実施するための最良の形態】
【０００８】
以下、図面に示す本発明を実施するための最良の形態を詳細に説明する。但し、それらのみに本発明を限定する趣旨のものではない。
【０００９】
＜第１の実施の形態＞
図１ないし図３に示す本出願人が発明したところの第１の実施の形態において、１は取り付けコード付勢巻取り装置であって、この取り付けコード付勢巻取り装置１は、
筐体２、この筐体２内に回転自在に設けられ且つ駆動バネ３により巻取り方向に付勢巻取り回転をする巻取り体４、この巻取り体４にループの形成が可能なループ形成可能部位５とする一対形態で付勢巻き取られるとともに、該筐体２の外で拡径する該ループ形成可能部位５を形成するように設けられてなる取り付けコード６とからなる取り付けコード付勢巻取り装置において、
前記取り付けコード６の全体あるいは少なくとも先端側の適宜な長さが（本実施例では全体）、携帯電話、デジタルカメラなどの携帯品Ｋに設けられた取り付けコード通し取付け孔７に先端を折り合わせるようにしてループ状態で通すことができる太さであるとともに、前記取り付けコード通し取付け孔７が折れ曲がっていてその内壁に当り擦れても、崩れることなく通される適宜なしなやかさと硬さを有するものであり、かつ、該取り付けコード６先端が筐体２に当り引き込み動作が止められた最終巻取り状態となっても前記巻取り体４を巻取り回転させようとする巻取り回転付勢力を有してなる（巻取り回転付勢力が残っている状態）ことを特徴とするものである。
取り付けコード６には移動自在に、取り付けコード６先端が一つ引き出し口（図示せず）から筐体内に引き込まれるのを阻止するストパー玉８が取り付けられている。引き出し口が二つの場合は、取り付けコードが引き出し口間にある隔てる壁によってそれ以上の引き込まれるのを阻止するので、ストパー玉８を設けなくてもよい。
取り付けコードの太さが直径０．９ｍｍ以下とするのがよい。一般的な松葉紐の太さは０．７ｍｍ〜０．８ｍｍ程度である。
【００１０】
図３に示すように筐体２の内部構造およびロック機構は次のような構成となっている。
裏側が全面開口された筐体形成部材１０と、
この筐体形成部材１０の表板の中心に設けられた貫通筒部１１と、
この貫通筒部１１に内端を固定して設けられた発条である駆動バネ３と、
この駆動バネ３を内側にしてその外端を固定させて該駆動バネ３の巻取り不勢力により付勢巻取り回転する巻取り体４と、
この巻取り体４に重ね状態で巻取られた取り付けコード６と、
筐体形成部材１０の側面に設けられた取り付けコード６が引き出されている引き出し口（図示せず）と、
貫通筒部１１に筐体２を摘んだ指で押し込み可動可能に入れられた中空形態のロックＯＮ・ＯＦＦボタン１４、このロックＯＮ・ＯＦＦボタン１４の背部に貫通筒部１１と一体的に設けられた広鍔形態の巻取り体４に当接してその付勢回転を止めるロック板１５とからなるロック体１６と、
ロックＯＮ・ＯＦＦボタン１４の内部に設けられた押し出し付勢手段である圧縮コイルバネ１７と、
筐体形成部材１０の裏側開口をネジによる締め付け固定、接着、融着あるいは溶着などにより塞ぐ裏板１８と、とからなっている。
筐体２を指で摘み、その指でロックＯＮ・ＯＦＦボタン１４を押し込むと圧縮コイルバネ１７の付勢力に抗して巻取り体４に付勢当接していたロック板１５が移動して巻取り体４から離れロック状態が解除される。ロックＯＮ・ＯＦＦボタン１４を押し込んだ状態のまま移動操作（ループロール６の引き出し引き込み操作）を自在に行うことができる。ロックＯＮ・ＯＦＦボタン１４を解放すると圧縮コイルバネ１７の押し出し付勢力によりロック板１５が巻取り体４に付勢当接して駆動バネ３による付勢巻取り回転を止めロックする。
すなわち、取り付けコード６を出入両方向に対してロックするための、巻取り体４をロックするロック機構を設け、このロック機構を構成する部位である指で押し込みロック解除を行うためのロックＯＮ・ＯＦＦボタン１４が筐体２の表側あるいは裏側に設けられ、主に親指を裏側に当て人差し指ないし中指を表側に当てた摘み状態で、そのいずれかの指で前記ロックＯＮ・ＯＦＦボタン１４を押し込み移動させることにより前記ロック状態を解除し、該ロックＯＮ・ＯＦＦボタン１４を解放すると該ロック状態となる。
よって、取り付けコード６の先端を折り合わせた状態にして取り付けコード通し取付け孔７に通し（図１の＜ｂ＞図）、筐体２が潜り通るループ状態に開いて（図１の＜ｃ＞図）、該筐体２を潜らせ通して（図１の＜ｄ＞図）引き締め結束（結束部９）状態（図２の＜ｅ＞図）にして携帯品Ｋに取り付けコード６の最終巻取り状態では、取り付けた携帯品と取り付けコード付勢巻取り装置の筐体との距離を略接した状態あるいは近傍した状態（図２の＜ｇ＞図）にでき、かつ、携帯品を筐体から遠ざける（移動させる）ことのできる（図２の＜ｆ＞図）。
また、ロック板１５と巻取り体４の対抗面の一方を爪車構造を設け他に爪を設けた一種のラチェット機構として、取り付けコード６の引き出し動作では、爪車と爪の逃げ動作によってロックＯＮ・ＯＦＦボタン１４を押し込むことなく該引き出し操作が行え、取り付けコード６の引き込みに対しては爪車と爪が噛み合ったロック動作となっているので、取り付けコード６の引き込み動作はロックＯＮ・ＯＦＦボタン１４を押し込んでロックを解除した状態で行うようにするのも良い。これは、後記する第２に実施の形態（図４参照）のような、ケース２７に巻取り体４の付勢巻取り力よりも重い携帯品Ｋ（携帯品Ｋが自重で巻取り体４を送り出し回転させる。）を収納して携行する形態において、取り付けコード付勢巻取り装置１９および取り付けコードロック部材２９に換えて取り付けコードロック部材１を使用した形態で便利である。
すなわち、ケース２７への携帯品Ｋの収納支持形態は底塞ぎ蓋２３に携帯品Ｋが載り支持されており、底塞ぎ蓋２３を開くと携帯品Ｋはその自重で自動的に下降して手で止めた位置で止まり、取り付けコード６は巻き込まれない。ロックＯＮ・ＯＦＦボタン１４を押し込むとロックが解除され携帯品Ｋの持上げに従って巻取り体４が付勢巻取り回転をして取り付けコード６を巻き取って行く。底塞ぎ蓋２３を閉めると携帯品Ｋは自重で下がり底塞ぎ蓋２３に載り保持される。
（発明を実施するための異なる形態）
【００１１】
次に、異なる実施の形態について説明する。なお、これら異なる実施の形態の説明に当たって、前述してある実施の形態と同一構成部分には同一符号を付して重複する説明を省略する。
【００１２】
＜第２の実施の形態＞
図４に示す本出願人が発明したところの第２の実施の形態において、取り付けコード付勢巻取り装置１のロック機構部を有さない形態とした取り付けコード付勢巻取り装置１９を使用して、携帯電話あるいは携帯カメラなどの携帯品を首から提げて携行するための、携帯品の携行補助具２０を形成した点にある。
携帯品の携行補助具２０は、ケース本体２１、このケース本体２１の底開口部２２、この底開口部２２を開閉するケース本体２１の背面壁から垂れ下がるように設けられた片形態の底塞ぎ蓋２３、この底塞ぎ蓋２３の内面に設けられたフック面ファスナ部材２４、ケース本体２１の前面に設けられたフック面ファスナ２４と係着して底塞ぎ蓋２３の閉じ状態を保持するためのループ面ファスナ部材２５、ケース本体２１の天井部に形成された取り付けコードロック部材２９が抜けない大きさの上孔部３２、ケース本体２１の背面に設けられた該ケース本体２１との間に胴に巻くための紐、取り付けコードあるいはベルトなどの胴巻き部材を通し取り付けるための胴巻き部材通し部３０を形成するように縫い付けあるいは接着などにより取り付けられたループ面ファスナ部材３１とからなるケース２７と、
このケース２７の上部あるいは側面上方に端部を取り付けて、ケース２７を首から吊り下げるための首掛けループ２８と、
取り付けコード付勢巻取り装置１９と、
取り付けコード付勢巻取り装置１９から引き出された取り付けコード６の筐体２内への引き込みをロックする取り付けコードロック部材２９とからなっている。
【００１３】
携帯品Ｋの取り付けコード６の取付けは以下のように行う。
取り付けコードロック部材２９のロック状態を解除して該取り付けコードロック部材２９を長く引き出しロック状態として巻き戻しできないようにする。
上孔部３２の上側から取り付けコード６を挿入してケース２７の底開口部２２から外に引き出す。
取り付けコード６の先端を折り合わせて携帯品Ｋの取り付けコード通し取付け孔７に通し、底開口部２２から上孔部３２を通して取り付けコード６を外に出す。
上孔部３２から出された取り付けコード６の部位をケース２より大きいループに広げて、該ケース２および取り付けコードロック部材２９をそのループに潜らせ通す。
ケース２および取り付けコードロック部材２９を引いて、あるいは携帯品Ｋを引いて取り付けコード６のループを萎めて（絞って）取り付けコード通し取付け孔７部位で結束状態として、取り付けコード６の先端に携帯品Ｋを取り付けた状態とする。
【００１４】
取り付けコードロック部材２９は、一般的に使用されている取り付けコードを通し、付勢力の与えられた押し込みボタン３０を該付勢力に抗して押し込むとロックが解除されて、取り付けコードをあるいは取り付けコードロック部材を移動自在とでき、押し込みボタン３０を解放すると押し込みボタン３０が付勢力により押し出し動作をして通されている取り付けコードを挟みロックして、移動ができないロック状態とするものである。
取り付けコード付勢巻取り装置１９の付勢巻取り力は、携帯品Ｋの重量を吊り保持できない弱い巻取り付勢力であり、ロックする取り付けコードロック部材２９のロックを解除し底開口部２２を開いた状態、すなわち、携帯品Ｋの自重が取り付けコード６に全てかかる状態においては、携帯品Ｋはその自重により自然・自動的に速やかに下降するものである。
したがって、下降した状態で取り付けコードロック部材２９を解放して取り付けコード６をロック状態とすることにより、下降した状態に携帯品Ｋを保持して、取り付けコード６に邪魔されることなく携帯品を手に持って快適に操作することができる。
【００１５】
携帯品Ｋのケース２７への収納は、取り付けコードロック部材２９を一方の指で摘み押し込みボタン３０を押し込んでロックを解除した状態とし携帯品Ｋの底に他方の手を沿えるようにして持ち上げ収納し、取り付けコードロック部材２９をロック状態にして底塞ぎ蓋２３を閉じ、取り付けコードロック部材２９のロックを解除して携帯品Ｋを底塞ぎ蓋２３に載り支持されるまで下降させる。
下降した携帯品Ｋの収納は、自動付勢巻取りされる取り付けコード６によってケース２７内にスムーズに案内されるので、収納操作が簡単で快適である。
ケース２７への収納中の携帯品Ｋは底塞ぎ蓋２３に載り支持されるので、取り付けコード６には大きな荷重がかからないので、取り付けコード６の磨耗が生じず長寿命化を実現する。
ケース２７背面の胴巻き部材通し部３０に紐などの胴巻き部材を通し、胴に巻き付けることにより、ケース２７が振れない状態に保持し、よって、ケース２７に収納されている携帯品Ｋも歩行動作や前かがみになっても振れない状態として携行性を良いものにできる。
また、ワイシャツなどの前立て部を有する着衣では、前立て部にフック面ファスナ部材を有するクリプを装着し、あるいは安全ピンを備えた面ファスナ部材を装着して、ループ面ファスナ部材３１を着衣側に保持させて、ケース２７が振れない状態に保持し、よって、ケース２７に収納されている携帯品Ｋも歩行動作や前かがみになっても振れない状態として携行性を良いものにできる。
【００１６】
＜第３の実施の形態＞
図５に示す本出願人が発明したところの第３の実施の形態において前記第１の実施の形態と主に異なる点は、ケース２の背部あるいは上部から立ち上がるように首掛けループ２８を潜らし通して下端を結束（結束部４２）して該ケース２を吊り状態とする首掛けループ取付部３５を設け、ケース２の下部に取り付けコード６の一方の側と他方の側を分けて引き出すための引き出し口３６、３７を設け、該引き出し口３６、３７の間にくの字形態に曲がったような形態の取り付けコード受け部３８を突出設けてなる取り付けコード付勢巻取り装置３９を形成した点にある。
取り付けコード受け部３８と筐体２との間には凹み部４０が形成され、該凹み部４０を通る取り付けコード６の一方の取り付けコードと凹み部４０との間には隙間が形成されて、指ないし爪で取り付けコードを摘むことができるようになっている。
【００１７】
＜第４の実施の形態＞
図６、図７に示す本出願人が発明したところの第４の実施の形態において前記第３の実施の形態と主に異なる点は、筐体２の巻取り体４から外れた部位に、取り付けコード６を付勢挟持してロックするロック機構部４５を設けるためのロック機構を設ける部位４６を形成し、このロック機構を設ける部位４６の表面あるいは裏面に開口部４７を設け、この開口部４７から頭部が突出され、該開口部４７内に頭部が位置されあるいは該開口部４７より内側に頭部が位置されてなる、摘んだ指によって押し込み移動動作をするロックＯＮ・ＯＦＦボタン４８を設け、前記ロックＯＮ・ＯＦＦボタン４８を押し出し付勢する圧縮コイルバネや弾性ゴム製部材などの押し出し付勢手段４９を設け、前記ロックＯＮ・ＯＦＦボタン４８に前記取り付けコード６を通すループ形成用環部５０を設け、前記ロックＯＮ・ＯＦＦボタン４８の解放状態では前記押し出し付勢手段４９の押し出し付勢力によって該ロックＯＮ・ＯＦＦボタン４８は押し出し付勢状態にあって前記取り付けコード６を挟みロック状態とし、親指を前記ロック機構を設ける部位４６の裏面に当て人差し指ないし中指を該ロック機構を設ける部位４６の表面に当て摘み状態で、そのいずれかの指で前記ロックＯＮ・ＯＦＦボタン４８を前記押し出し付勢手段４９の押し出し付勢力に抗して押し込み移動させることにより前記取り付けコード６の前記ロック状態が解除され、該ロックＯＮ・ＯＦＦボタン４８を解放すると該ロック状態となる取り付けコード付勢巻取り装置５１を形成した点にある。
【００１８】
ロック機構部４５は、可動可能に設けられた１通の通し孔形態である可動側ループ形成用環部５３を有する有天井開口底部の円筒形態のロックＯＮ・ＯＦＦボタン４８と、ロックＯＮ・ＯＦＦボタン案内部５２の上部に下部が当てられ且つロックＯＮ・ＯＦＦボタン４８の内天井部位に上部が当てられて該ロックＯＮ・ＯＦＦボタン４８を付勢押し出し状態とする押し出し付勢手段４９とからなり、指で摘みロックＯＮ・ＯＦＦボタン４８を押し出し付勢手段４９の押し出し付勢力に抗して押し込み可動させるとループ形成用環部５０と可動側ループ形成用環部５３が重なり状態となって一本の貫通した取り付けコード通し孔を形成するようになっている。
ロックＯＮ・ＯＦＦボタン４８の側面には嵌合突起（図示せず省略）が形成され、ロック機構を設ける部位４６の内壁面に形成された嵌合溝（図示せず省略）に嵌合して、ロックＯＮ・ＯＦＦボタン４８は可動するがロック機構を設ける部位４６からは所定の位置で止められ抜けないようなっている。
ロック機構を設ける部位４６の下部にはループ形成用環部５０を通った取り付けコード６を外に抜くための取り付けコード抜き部５４と、抜いた取り付けコード６がそれ以上引き込まれないように止める取り付けコード止め部５５が形成されている。
これにより、取り付けコード６のループ状態のまま筐体外に引き出し、かつ、巻き戻るのを止めることができる構成を実現している。
取り付けコード抜き部５４は取り付けコード６を抜き取ったあとは、チップなどを嵌め込み接着するなどして塞いでしまい、取り付けコード６が入ることができないようにする。
【００１９】
取り付けコード６を挟みロック状態とする構成であるので、どの好みの位置でも携帯品を正確止めることができ、かつ、最終巻取り状態においても取り付けコードを最大限巻取り状態とすることができる。
また、ロック状態において携帯品の急なあるいは予期せぬ不要な引っ張りが生じても、取り付けコードはロック状態のまま引っ張り引き出され移動するので、ロック機構が破損する、あるいは人が引っ張られて転倒などをしてしまう危険が緩衝されるという安全性を実現する。
【００２０】
＜第５の実施の形態＞
図８に示す本発明を実施するための最良の第５の実施の形態において、５５は取り付けコード付勢巻取り装置であって、この取り付けコード付勢巻取り装置５５は、筐体２と、この筐体２内に回転自在に設けられ且つ駆動バネ３（図３参照）により巻取り方向に付勢巻取り回転をする巻取り体４（図３参照）と、この巻取り体４に付勢巻き取られる１本の取り付けコード５６と、この取り付けコード５６の前記筐体２の外に引き出された部位に設けられた、ループ形成用環部本体５７、このループ形成用環部本体５７に設けられた取り付けコード５６を移動自在に通す取り付けコード通し孔５８とからなるループ形成用環部５９と、このループ形成用環部５９の前記取り付けコード通し孔５８に前記取り付けコード５６を通し、その取り付けコードの先端側を該ループ形成用環部５９から取れないように取り付けることによって形成してなる、該取り付けコード通し孔５８を取り付けコード５６を移動させることにより大きくしたり小さくしたりできるループ６０とからなっている。
ループ６０にはリング形態の抜け防止パーツ６１が通され、取り付けコード通し孔５８を抜けた取り付けコード５６の先端にはループ潜らせストッパー６７が設けられている。
取り付けコード５６は、携帯電話、デジタルカメラなどの携帯品に設けられた取り付けコード通し取付け孔７に、先端を折り合わせるようにして通された部位でループ６０を形成する一対で通すことができる太さ（二本同時に通すことが出来る太さ）であるとともに、前記取り付けコード通し取付け孔７が折れ曲がっていてその内壁に当り擦れても、崩れることなく通される適宜なしなやかさと硬さを有するものである。
取り付けコードを長く引き出し、ループ形成用環部５９を一方の手で摘み、ループ６０を形成している取り付けコード５６を引っ張って該ループ６０を大きいループにし、先端を折り畳んで細くして携帯品Ｋの取り付けコード通し取り付け孔７に通し、通した側をループに広げて筐体２を潜らせ、ループ形成用環部５９と筐体２の間の取り付けコード５６を引いってループ６０を小さくして締めると、ループ形成用環部５９と携帯品Ｋの取り付けコード通し取付け孔７形成部位とが当接した状態での吊り状態を実現するものであるので、取り付けコード５６の略先端に携帯品Ｋを取り付けた状態が実現され、取り付けコード５６を全部巻き取る形態においては、取り付けコード５６を最大に巻き取った状態では筐体２と携帯品Ｋは距離の殆ど生じない（ループ形成用環部の分だけわずかに距離が生じる程度）形態を実現するものである。
【００２１】
＜第６の実施の形態＞
図９に示す本発明を実施するための最良の第６の実施の形態において前記第５の実施の形態と主に異なる点は、ループ６０を形成する異なる形態を示したものである。
図（ａ）は、ループ形成用環部をメガネリング形態のループ形成用環部６３とし、取り付けコード通し孔６４、６５と通した取り付けコード５６の先端に抜け防止となるループ潜らせストッパー６６を設け、ループ６０を形成した点にある。
図（ｂ）は、ループ形成用環部を二つの金属製円筒部材を一体化した形態のループ形成用環部６８とし、取り付けコード通し孔６９、７０と通した取り付けコード５６の取り付けコード通し孔７０側をカシメ圧着したループ潜らせストッパー状態とし、ループ６０を形成した点にある。
図（ｃ）は、ループ形成用環部を取り付けコード５６を通すリング形態の取り付けコード通し孔７２、この取り付けコード通し孔７２と一体的に設けられた取り付けコード５６の先端を噛み挟持するループ潜らせストッパー部７３とからなるループ形成用環部７４とし、取り付けコード５６を取り付けコード通し孔７２を通しその先端をループ潜らせストッパー部７３で噛みロック状態として、ループ６０を形成した点にある。
図（ｄ）は、取り付けコード５６の先端を曲げて形成してなる小輪形態のループ形成用環部７５を形成し、このループ形成用環部７４に取り付けコード５６が通されることによりループ６０を形成してなる点にある。いわゆる、投げ縄形態である。
【００２２】
＜第７の実施の形態＞
図１０、図１１に示す本発明を実施するための最良の形態である第７の実施の形態において前記第５の実施の形態と主に異なる点は、取り付けコード５６の先端側にループにした引張り部８３を残して取り付けコード通し取り付け孔７を通らない大きさの○玉形態のループ潜らせストッパー８０を設けてなる取り付けコード付勢巻取り装置８１を形成した点にある。
ループ潜らせストッパーの形態は円盤形態、棒形態、リング形態など多様な形態のものを含むものであり、その材質もゴム製部材、合成樹脂製部材、金属製部材、木製部材、ガラス製部材など多様な材質を採用することができるものである。
使い方は、取り付けコード５６を適宜な部位で折合わせ一対にして取り付けコード通し取り付け孔７に通し（図１０の中図参照）、通り抜けた部分を広げてループ８２を形成し（図１０の中図参照）、このループ８２にループ潜らせストッパー８０を潜らせ（図１０の中図参照）、筐体２側で取り付けコード５６を引いてループ８２を縮め締めて（図１０の右図参照）、締めたループ８２から該ループ潜らせストッパーが抜けないようにして（図１０の中図参照）、よって、携帯品Ｋに取り付けコード５６の先端側を取り付けるようにした（図１０の中図参照）取り付けコード付勢巻取り装置８１である。
携帯品Ｋの取り付けコード通し取付け孔７を通して形成したループ８２の大きさを、ループ潜らせストッパー８０を潜らせるだけの大きさにするだけでよく、また、筐体２を潜らせる必要がないので、筐体２を首に掛けたままあるいは筐体２をケースや腰ベルトに取り付けたままの状態で携帯品Ｋの取り付け取り外しが容易にできるとともに、取り付けコード５６の略先端に携帯品Ｋを取り付けた状態が実現され、取り付けコード５６を全部巻き取る形態においては、取り付けコード５６を最大に巻き取った状態では筐体２と携帯品Ｋは距離の殆ど生じない形態を実現するという効果を奏する。
また、取り付けコード通し取付け孔７の大きさあるいは取り付けコードの太さにもよるが、該条件が適切であると、筐体２側の取り付けコード５６を少し強めに引き締めるとループ８２は該取り付けコード５６に引き込まれるようにして該取り付けコード通し取付け孔７の反対側に出て（図１０の右図参照）、ループ潜らせストッパー８０はその通過を阻止された状態となるが、ループ潜らせストッパー８０あるいは引っ張り部８３を張り揺すりながら引くと、あるいは、筐体２側の取り付けコード５６を取り付けコード通し取付け孔７に向け押し込みながらループ潜らせストッパー８０あるいは引っ張り部８３を引くと簡単にループ８２はループ潜らせストッパー８０側に引き出されるので、引き出された該ループ８２を指で摘み広げてループ潜らせストッパー８２をそのループ８０に外し潜らせると、簡単に携帯品Ｋから取り付けコード５６を取り外すことが出来るという作用効果を奏する。
ループ潜らせストッパーは、携帯品を傷つけないゴム製部材、プラスチック製部材などやわらかい材質とするのがよい。
引っ張り部はループである必要は必ずしも必要ではなく一本でもよいが、ループ形態としたほうが、先端処理をしなくてよい、他の飾りをつけることができる、摘みやすいなどの理由で、好ましい。
また、引っ張り部に変えて指で摘むほどのループではないループとして、先端の綺麗さの演出と、他の飾りの取付部としての役割に特化させるのもよい。
【００２３】
＜第８の実施の形態＞
図１２に示す本発明を実施するための最良の形態である第８の実施の形態において前記第６の実施の形態と主に異なる点は、ループ潜らせストッパーを取り付けコード５６の先端に取り付けコード通し取り付け孔７を通らない大きさの開閉部付き環部材からなるループ潜らせストッパー８６としてなる取り付けコード付勢巻取り装置８７を形成した点にある。
ループ潜らせストッパー８６は開閉口８５を開閉する開閉部８８が設けられ、開閉部８８を開いてループ８２（取り付けコード）を入れ閉じて外れないようにする、いわゆる取り付けコードを外れないように係止して携帯品Ｋに取り付けるとともに、開閉部８８を開いて簡単で素早くループ８２を外し携帯品Ｋから取り外すことができる、取り付けコード５６を着脱自在とする係止ループ着脱係止部としての機能するようになっている。
ループ潜らせストッパーが係止部材を兼ねている、係止部がループ潜らせストッパーを兼ねているものである。
開閉部付き環部材には通称、ナス環、丸環と呼ばれているも、弾性力により端部と端部が付勢重なって開閉部を形成してなるものなど多様な形態がある。
【００２４】
＜第９の実施の形態＞
図１３に示す本発明を実施するための最良の形態である第９の実施の形態において前記第６の実施の形態と主に異なる点は、取り付けコード５６に取り付けコード５６を着脱自在に係止するループ潜らせストッパー８６と同一部材からなる係止ループ着脱係止部９０を設けてなる取り付けコード付勢巻取り装置９１を形成した点にある。
ループ潜らせストッパー８０をループ８２に潜らせず、係止ループ着脱係止部９０にループ８２を係止する。このような構成としても、実施の形態８のものと同様な効果を奏する。
【００２５】
＜付記＞
＜付記１記載の発明の効果＞
筐体と、この筐体内に回転自在に設けられ且つ駆動バネにより巻取り方向に付勢巻取り回転をする巻取り体と、この巻取り体に付勢巻き取られる、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものである一本の取り付けコードと、この取り付けコードの前記筐体の外にある先端側に設けられた前記取り付けコード通し取り付け孔を通らない大きさのループ潜らせストッパーとからなり、前記取り付けコードを適宜な部位で折合わせ一対形態にして前記取り付けコード通し取り付け孔に通し、通り抜けた部分を広げてループを形成し、このループに前記ループ潜らせストッパーを潜らせ、該取り付けコードを引いて該ループを縮め締めて、締めた該ループから該ループ潜らせストッパーが抜けないようにして、よって、携帯品に該取り付けコードの先端側を取り付けるようにしたことを特徴とする取り付けコード付勢巻取り装置であるので、
｛１｝携帯品の取り付けコード通し取付け孔を通して形成したループの大きさを、ループ潜らせストッパーを潜らせるだけの大きさにするだけでよく、また、筐体を潜らせる必要がないので、筐体を首に掛けたままあるいは筐体をケースや腰ベルトに取り付けたままの状態で携帯品の取り付け取り外しが容易にできるとともに、取り付けコードの略先端に携帯品を取り付けた状態が実現され、取り付けコードを全部巻き取る形態においては、取り付けコードを最大に巻き取った状態では筐体と携帯品は距離の殆ど生じない形態を実現するという効果を奏する。
｛２｝取り付けコード通し取付け孔の大きさにもよるが、筐体側の取り付けコードを少し強めに引き締めるとループは該取り付けコードに引き込まれるようにして該取り付けコード通し取付け孔の反対側に出て、ループ潜らせストッパーはその通過を阻止された状態となるが、ループ潜らせストッパーを張り揺すりながら引くと、あるいは、筐体側の取り付けコードを取り付けコード通し取付け孔に向け押し込みながらループ潜らせストッパーを引くと簡単にループはループ潜らせストッパー側に引き出されるので、引き出された該ループを指で摘み広げてループ潜らせストッパーをそのループに外し潜らせると、簡単に携帯品から取り付けコードを取り外すことが出来るという作用効果を奏する。
｛３｝一本コードから形成されているので、腰ベルトなどに筐体を固定した使用において、コードが捩れて該コードの一部が筐体内に巻き取られなくなるという状態が生じない。
｛４｝リールやその付属物の大きさや長さに規制されることなく、携帯品へのコードの直接の取り付け取り外しが行えるという効果を奏するものである。
｛５｝コードが一本形態であるので、筐体を小さくできる、あるいは長いコードとしても筐体が２本巻取り形態より小さくできる。
ループ潜らせストッパーは、携帯品を傷つけないゴム製部材、プラスチック製部材などやわらかい材質とするのがよい。
＜付記２記載の発明の効果＞
筐体と、この筐体内に回転自在に設けられ且つ駆動バネにより巻取り方向に付勢巻取り回転をする巻取り体と、この巻取り体に付勢巻き取られる、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものである一本の取り付けコードと、この取り付けコードの前記筐体の外にある先端側に設けられた前記取り付けコード通し取り付け孔を通らない大きさのストッパーと、このストッパーに設けられた取り付けコードを着脱自在に係止するための係止ループ着脱係止部とからなり、前記取り付けコードを適宜な部位で折合わせ一対形態にして前記取り付けコード通し取り付け孔に通し、通り抜けた部分であるループを前記係止ループ着脱係止部に係止させ、該取り付けコードを引いて該ループを縮め締めて、締めた該ループが該係止ループ着脱係止部から外れないことによって、携帯品に該取り付けコードの先端側を取り付けるようにしたことを特徴とする取り付けコード付勢巻取り装置であるので、
付記１記載の発明と同様な効果を奏するとともに、係止ループ着脱係止部によりループを簡単で素早く取り外したり取り付けたりできるので、携帯品の取り付け取り外しが素早く簡単にできるという効果を奏する。
＜付記３記載の発明＞
筐体と、この筐体内に回転自在に設けられ且つ駆動バネにより巻取り方向に付勢巻取り回転をする巻取り体と、この巻取り体に付勢巻き取られる、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものである一本の取り付けコードと、この取り付けコードの前記筐体の外にある先端側に設けられた前記取り付けコード通し取り付け孔を通らない大きさのストッパーと、前記取り付けコードに移動自在に設けられた該取り付けコードを着脱自在に係止するため係止ループ着脱係止部とからなり、前記取り付けコードを適宜な部位で折合わせ一対形態にして前記取り付けコード通し取り付け孔に通し、通り抜けた部分であるループを形成し、該ループを前記係止ループ着脱係止部に係止させ、該取り付けコードを引いて該ループを縮め締めて、締めた該ループが該係止ループ着脱係止部から外れないことによって、携帯品に該取り付けコードの先端側を取り付けるようにしたことを特徴とする取り付けコード付勢巻取り装置であるので、
このような構成としても付記２記載の発明と同様な効果を奏する。
＜付記４記載の発明の効果＞
筐体と、この筐体内に回転自在に設けられ且つ駆動バネにより巻取り方向に付勢巻取り回転をする巻取り体と、この巻取り体に付勢巻き取られる取り付けコードと、この取り付けコードの前記筐体の外にある先端に形成されたあるいは設けられたループ形成用環部と、このループ形成用環部に前記取り付けコードが通されることにより形成されてなる、該ループ形成用環部に通された取り付けコードを移動させることにより大きくしたり小さくしたりできるループとからなり、前記取り付けコードが、携帯電話、デジタルカメラなどの携帯品に設けられた取り付けコード通し取付け孔に、先端を折り合わせるようにして通された部位でループを形成する一対形態で通すことができる太さであるとともに、前記取り付けコード通し取付け孔が折れ曲がっていてその内壁に当り擦れても、崩れることなく通される適宜なしなやかさと硬さを有するものであることを特徴とする取り付けコード付勢巻取り装置であるので、
｛１｝取り付けコードを長く引き出し、ループ形成用環部を一方の手で摘みもち、ループを形成している取り付けコードを引っ張って該ループを大きいループにし、先端を折り畳んで細くして携帯品の取り付けコード通し取り付け孔に通し、通した側をループに広げて筐体を潜らせ、ループ形成用環部と筐体の間の取り付けコードを引いってループを小さくして締めると、ループ形成用環部と携帯品の取り付けコード通し取付け孔形成部位とが当接した状態での吊り状態を実現するものであるので、取り付けコードの略先端に携帯品を取り付けた状態が実現され、取り付けコードを全部巻き取る形態においては、取り付けコードを最大に巻き取った状態では筐体と携帯品は距離の殆ど生じない（ループ形成用環部の分だけわずかに距離が生じる程度）形態を実現するという効果を奏する。
｛２｝一本コードから形成されているので、腰ベルトなどに筐体を固定した使用において、コードが捩れて該コードの一部が筐体内に巻き取られなくなるという状態が生じない。
｛３｝コードが一本形態であるので、筐体を小さくできる、あるいは長いコードとしても筐体が２本巻取り形態より小さくできる。
＜付記５記載の発明の効果＞
付記１〜４いずれか記載の発明の構成において、  取り付けコードを出入両方向に対してあるいは出入のいずれか一方向に対してロックするための、該取り付けコードを挟みあるいは押し付けロックするロック機構、あるいは巻取り体をロックするロック機構を設け、このロック機構を構成する部位である指で押し込みロック解除を行うためのロックＯＮ・ＯＦＦボタンが筐体の表側あるいは裏側に設けられ、主に親指を裏側に当て人差し指ないし中指を表側に当てた摘み状態で、そのいずれかの指で前記ロックＯＮ・ＯＦＦボタンを押し込み移動させることにより前記ロック状態を解除し、該ロックＯＮ・ＯＦＦボタンを解放すると該ロック状態となることを特徴とする取り付けコード付勢巻取り装置であるので、付記１〜４いずれか記載の発明と同様な効果を奏するとともに、
取り付けコードを巻取り付勢力に抗して引き出し携帯品を遠くに移動させた状態（筐体から携帯品を離した状態）にして、ロックＯＮ・ＯＦＦボタンを解放すると、巻取りをロック状態とできるので、携帯品の操作時に取り付けコードが巻取り引っ張られる状態が生じることなく携帯品の操作を快適に行うことができるという効果を奏する。
＜付記６記載の発明の効果＞
付記１〜５いずれか記載の発明の構成において、筐体の巻取り体から外れた部位に、取り付けコードを付勢挟持してロックするロック機構部を設けるためのロック機構を設ける部位を形成し、このロック機構を設ける部位の表面あるいは裏面に開口部を設け、この開口部から頭部が突出され、該開口部内に頭部が位置されあるいは該開口部より内側に頭部が位置されてなる、摘んだ指によって押し込み移動動作をするロックＯＮ・ＯＦＦボタンを設け、前記ロックＯＮ・ＯＦＦボタンを押し出し付勢する押し出し付勢手段を設け、前記ロックＯＮ・ＯＦＦボタンに前記取り付けコードを通すループ形成用環部を設け、前記ロックＯＮ・ＯＦＦボタンの解放状態では前記押し出し付勢手段の押し出し付勢力によって該ロックＯＮ・ＯＦＦボタンは押し出し付勢状態にあって前記取り付けコードを挟みロック状態とし、親指を前記ロック機構を設ける部位の裏面に当て人差し指ないし中指を該ロック機構を設ける部位の表面に当て摘み状態で、そのいずれかの指で前記ロックＯＮ・ＯＦＦボタンを前記押し出し付勢手段の押し出し付勢力に抗して押し込み移動させることにより前記取り付けコードの前記ロック状態が解除され、該ロックＯＮ・ＯＦＦボタンを解放すると該ロック状態となることを特徴とする取り付けコード付勢巻取り装置であるので、付記１〜５いずれか記載の発明と同様な効果を奏するとともに、
取り付けコードを挟みロック状態とする構成であるので、どの好みの位置でも携帯品を正確止めることができ、かつ、最終巻取り状態においても取り付けコードを最大限巻取り状態とすることができるという効果を奏する。
また、ロック状態において携帯品の急なあるいは予期せぬ不要な引っ張りが生じても、取り付けコードはロック状態のまま引っ張り引き出され移動するので、ロック機構が破損する、あるいは人が引っ張られて転倒などをしてしまう危険が緩衝されるという、安全性を実現するという効果を奏する。
【産業上の利用可能性】
【００２６】
本発明は携行グッズを製造する産業で利用される。
【図面の簡単な説明】
【００２７】
【図１】本出願人が発明したところの第１の実施の形態の正面図および携帯品への取付け手順図。
【図２】本出願人が発明したところの形態のロック状態での携帯品の停止位置例図。
【図３】本出願人が発明したところの第１の実施の形態のロック状態の断面図およびロック解除状態の断面図。
【図４】本出願人が発明したところの第２の実施の形態のケースに携帯品を収納した状態の正面図および携帯品をケースから出し下降させた状態の側面図。
【図５】本出願人が発明したところの第３の実施の形態の正面図および携帯品を取り付け下降させた状態例の正面図。
【図６】本出願人が発明したところの第４の実施の形態の正面図および携帯品を取り付け下降させた状態例の正面図。
【図７】本出願人が発明したところの第４の実施の形態のロック機構部の断面図。
【図８】本発明を実施するための最良の第５の実施の形態の小さいループ状態の正面図、大きいループ状態の正面図、携帯品を取り付けた状態で該携帯品を筐体に接近させた状態の正面図。
【図９】本発明を実施するための最良の第６の実施の形態のループ形成用環部の他の複数の形態を示す斜視図。
【図１０】本発明を実施するための最良の第７の実施の形態の正面図、ループにループ潜らせストッパーを潜らせた状態図、取り付け完了図。
【図１１】本発明を実施するための最良の第７の実施の形態の取り付け手順図。
【図１２】本発明を実施するための最良の第８の実施の形態の正面図、ループを係止部に係止せた状態図、取り付け完了図。
【図１３】本発明を実施するための最良の第９の実施の形態の正面図、ループを係止部に係止せた状態図、取り付け完了図。
【符号の説明】
【００２８】
１：取り付けコードロック部材、
２：筐体、
３：駆動バネ、
４：巻取り体、
５：ループ形成可能部位、
６：取り付けコード、
７：取り付けコード通し取付け孔、
８：ストパー玉、
９：結束部、
１０：筐体形成部材、
１１：貫通筒部、
１４：ロックＯＮ・ＯＦＦボタン、
１５：ロック板、
１６：ロック体、
１７：圧縮コイルバネ、
１８：裏板、
１９：取り付けコード付勢巻取り装置、
２０：携帯品の携行補助具、
２１：ケース本体、
２２：底開口部、
２３：底塞ぎ蓋、
２４：フック面ファスナ部材、
２５：ループ面ファスナ部材、
２６：上孔部、
２７：ケース、
２８：首掛けループ、
２９：取り付けコードロック部材、
３０：胴巻き部材通し部、
３１：ループ面ファスナ部材、
３２：上孔部、
３５：首掛けループ取付部、
３６：引き出し口、
３７：引き出し口、
３８：取り付けコード受け部、
３９：取り付けコード付勢巻取り装置、
４０：凹み部、
４２：結束部、
４５：ロック機構部、
４６：ロック機構を設ける部位、
４７：開口部、
４８：ロックＯＮ・ＯＦＦボタン、
４９：押し出し付勢手段、
５０：ループ形成用環部、
５１：取り付けコード付勢巻取り装置、
５２：ロックＯＮ・ＯＦＦボタン案内部、
５３：可動側ループ形成用環部、
５５：取り付けコード付勢巻取り装置、
５６：取り付けコード、
５７：ループ形成用環部本体、
５８：取り付けコード通し孔、
５９：ループ形成用環部、
６０：ループ、
６１：ループ抜け防止パーツ、
６３：ループ形成用環部、
６４：取り付けコード通し孔、
６５：取り付けコード通し孔、
６６：ループ潜らせストッパー、
６７：ループ潜らせストッパー、
６８：ループ形成用環部、
６９：取り付けコード通し孔、
７０：取り付けコード通し孔、
７２：取り付けコード通し孔、
７３：ループ潜らせストッパー部、
７４：ループ形成用環部、
７５：ループ形成用環部、
８０：ループ潜らせストッパー、
８１：取り付けコード付勢巻取り装置、
８２：ループ、
８３：引っ張り部、
８５：開閉口、
８６：ループ潜らせストッパー、
８７：取り付けコード付勢巻取り装置、
８８：開閉部。
【図１】
2010012211.tif 000003
【図２】
2010012211.tif 000004
【図３】
2010012211.tif 000005
【図４】
2010012211.tif 000006
【図５】
2010012211.tif 000007
【図６】
2010012211.tif 000008
【図７】
2010012211.tif 000009
【図８】
2010012211.tif 000010
【図９】
2010012211.tif 000011
【図１０】
2010012211.tif 000012
【図１１】
2010012211.tif 000013
【図１２】
2010012211.tif 000014
【図１３】
2010012211.tif 000015